(57)【要約】【課題】箱体内の収納機器と監視装置間の配線を見直し、配線作業を削減し、コスト低減を図る。【解決手段】遮断器２などの収納機器に設けられた機器用送受信装置６と、機器用送受信装置６と監視制御信号を無線で送受信する箱体１に設けられた盤用送受信装置７と、盤用送受信装置７に接続された監視装置８とを備え、監視制御信号は、遮断器２の閉路、開路状態を示す状態表示信号、変成器３で計測した電圧値、変流器４で計測した電流値を示す計測データ信号、および、遮断器２を動作させる保護動作信号を有することを特徴とする。【選択図】  図１
2014068492.tif 000002
【特許請求の範囲】
【請求項１】
収納機器に設けられた機器用送受信装置と、
前記機器用送受信装置と監視制御信号を無線で送受信する箱体に設けられた盤用送受信装置と、
前記盤用送受信装置に接続された監視装置とを備え、
前記監視制御信号は、前記収納機器の状態表示信号、計測データ信号、保護動作信号を有することを特徴とする金属閉鎖形スイッチギヤ。
【請求項２】
前記箱体を列盤し、
これらの箱体に前記監視制御信号を送受信する列盤用送受信装置を設けたことを特徴とする請求項１に記載の金属閉鎖形スイッチギヤ。
【請求項３】
前記箱体に中央監視用送受信装置を設け、中央監視盤と前記監視制御信号を送受信することを特徴とする請求項１または請求項２に記載の金属閉鎖形スイッチギヤ。
【請求項４】
前記保護動作信号にインターロック機能を持たせたことを特徴とする請求項１乃至請求項３のいずれか１項に記載の金属閉鎖形スイッチギヤ。
【請求項５】
前記監視制御信号を可搬式の表示装置でモニタリングすることを特徴とする請求項１乃至請求項４のいずれか１項に記載の金属閉鎖形スイッチギヤ。
【発明の詳細な説明】
【技術分野】
【０００１】
本発明の実施形態は、盤内の配線作業を改善する金属閉鎖形スイッチギヤに関する。
【背景技術】
【０００２】
従来、金属閉鎖形スイッチギヤには、収納された遮断器、断路器などの収納機器の閉路、開路の状態表示、電圧、電流などの計測データを表示する監視装置が正面扉に設けられている。収納機器と監視装置間は、制御線を用いて接続されている（例えば、特許文献１参照。）。
【０００３】
しかしながら、収納機器と監視装置間では、信号のやり取りが多く、制御線の本数も多くなり、また、配線経路も長くなって配線作業を困難とさせていた。更に、制御線の端部には、線番号などを付し、誤接続にならないように細心の注意を払って配線作業をする必要があった。
【０００４】
一方、遮断器の開閉特性などを検査するため、無線により計測データを送受信するものが知られている。これにより、遮断器側の検査装置と盤外から操作する制御装置間の制御線を不要としている（例えば、特許文献２参照。）。
【０００５】
しかしながら、無線による計測データの送受信は、遮断器の動作特性を検査するときに限られている。金属閉鎖形スイッチギヤの運転中では、遮断器の制御部と監視装置間が制御線で接続され、信号のやり取りが行われている。
【先行技術文献】
【特許文献】
【０００６】
【特許文献１】特開２００９−２６０８３０号公報
【特許文献２】特開２０００−１８４５２６号公報
【発明の概要】
【発明が解決しようとする課題】
【０００７】
本発明が解決しようとする課題は、遮断器などの収納機器と監視装置間の配線を見直し、配線作業を容易とし、コスト低減を図ることの可能な金属閉鎖形スイッチギヤを提供することにある。
【課題を解決するための手段】
【０００８】
上記課題を解決するために、実施形態の金属閉鎖形スイッチギヤは、収納機器に設けられた機器用送受信装置と、前記機器用送受信装置と監視制御信号を無線で送受信する箱体に設けられた盤用送受信装置と、前記盤用送受信装置に接続された監視装置とを備え、前記監視制御信号は、前記収納機器の状態表示信号、計測データ信号、保護動作信号を有することを特徴とする。
【図面の簡単な説明】
【０００９】
【図１】本発明の実施例１に係る金属閉鎖形スイッチギヤの構成を示す側面図。
【図２】本発明の実施例２に係る金属閉鎖形スイッチギヤの列盤の構成を示す概略図。
【発明を実施するための形態】
【００１０】
以下、図面を参照して本発明の実施例を説明する。
【実施例１】
【００１１】
本発明の実施例１に係る金属閉鎖形スイッチギヤを図１を参照して説明する。図１は、本発明の実施例１に係る金属閉鎖形スイッチギヤの構成を示す側面図である。
【００１２】
図１に示すように、箱体１内には、遮断器２が収納され、変成器３を介してケーブル受電されている。負荷側には、変流器４を介して母線５が接続され、隣接盤への接続が行われている。遮断器２には、無線で監視制御信号を送受信する機器用送受信装置６が正面側に設けられている。
【００１３】
箱体１の正面側には、盤用送受信装置７と監視装置８が設けられている。盤用送受信装置７では、機器用送受信装置６と無線で監視制御信号の送受信が行われる。監視装置８では、機器用送受信装置６で送受信した監視制御信号を表示する表示機能とともに、通常の保護継電機能を備えている。監視制御信号は、遮断器２の開路、閉路を表示する状態表示信号、変成器３、変流器４で計測された電圧値、電流値を表示する計測データ表示信号、遮断器２を動作させる保護動作信号を有する。
【００１４】
これにより、機器用送受信装置６では、遮断器２の補助接点との接続、変成器３との接続など最小限度の配線作業が必要であるが、遮断器２と監視装置８間では、配線作業が不要となる。なお、遮断器２の保護動作信号の送受信では、誤動作を防ぐため、二重回路などの対応を取ってもよい。
【００１５】
上記実施例１の金属閉鎖形スイッチギヤによれば、遮断器２などの収納機器と監視装置８との間の監視制御信号を無線により送受信しているので、この間での配線作業が不要であり、組立作業が容易となってコスト低減を図ることができる。
【００１６】
上記実施例１では、収納機器に遮断器２、変成器３、変流器４を用いて説明したが、スイッチギヤを構成する断路器、接地開閉器などにも用いることができる。また、遮断器２と断路器を用いた場合では、保護動作信号に、例えば、断路器の開路を遮断器２よりも遅くするようなインターロック機能を持たせることができる。
【実施例２】
【００１７】
次に、本発明の実施例２に係る金属閉鎖形スイッチギヤを図２を参照して説明する。図２は、本発明の実施例２に係る金属閉鎖形スイッチギヤの列盤の構成を示す概略図である。なお、この実施例２が実施例１と異なる点は、列盤したことである。
【００１８】
図２に示すように、列盤された複数の箱体１ａ、１ｂ、１ｃには、正面側にそれぞれ監視装置８ａ、８ｂ、８ｃが設けられている。監視装置８ａ、８ｂ、８ｃには、互いの箱体１ａ、１ｂ、１ｃの収納機器の監視制御信号を無線で送受信する列盤用送受信装置９ａ、９ｂ、９ｃが設けられている。また、監視制御信号を無線で中央監視盤１０に送受信する中央監視用送受信装置１１ａ、１１ｂ、１１ｃが設けられている。なお、監視装置８ａ、８ｂ、８ｃには、実施例１と同様に、収納機器からの監視制御信号を無線で送受信する盤用送受信装置が設けられている。
【００１９】
上記実施例２の金属閉鎖形スイッチギヤによれば、実施例１による効果のほかに、列盤した箱体１ａ、１ｂ、１ｃ間、および中央監視盤１０との間の監視制御信号を無線で送受信することができる。
【００２０】
上記実施例２では、中央監視盤１０を固定式で説明したが、監視制御信号（状態表示信号、計測データ信号）をモニタリングできる可搬式の表示装置を用いれば、据付け現地で収納機器の状態を容易にチェックすることができる。また、列盤に限らず単独盤でも、中央監視盤１０、可搬式の表示装置を用いることができる。
【００２１】
以上述べたような実施形態によれば、収納機器と監視装置間を無線で繋げているので、配線作業を不要とすることができる。
【００２２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００２３】
１  箱体
２  遮断器
３  変成器
４  変流器
５  母線
６  機器用送受信装置
７  盤用送受信装置
８、８ａ、８ｂ、８ｃ  監視装置
９ａ、９ｂ、９ｃ  列盤用送受信装置
１０  中央監視盤
１１ａ、１１ｂ、１１ｃ  中央監視用送受信装置
【図１】
2014068492.tif 000003
【図２】
2014068492.tif 000004